(57)【特許請求の範囲】
【請求項１】
発信元識別情報と一または複数台の自動販売機のいずれかを指定するための呼出情報とを無線で送信する移動電話機と、
前記移動電話機からの送信情報を受信する送受信手段、この受信情報に応じて指定商品を外部に排出可能とする商品排出手段、および、このときの排出商品の対価に相当する課金情報および前記発信元識別情報を前記送受信手段を介して送信するように制御する制御手段、を有する一または複数台の自動販売機と、
前記自動販売機からの前記課金情報および前記発信元識別情報に基づいて料金を回収する料金回収手段と、
から成ることを特徴とする自動販売機システム。
【請求項２】
発信元識別情報と一または複数台の自動販売機のいずれかを指定するための呼出情報とを無線で送信する移動電話機と、
前記移動電話機からの送信情報を受信する送受信手段、この受信情報に応じて指定商品を外部に排出可能とする商品排出手段、このときの排出商品の対価に相当する課金情報および前記発信元識別情報を記憶する情報記憶手段、および、前記情報記憶手段から前記課金情報および前記発信元識別情報を読み出して前記送受信手段を介して送信するように制御する制御手段、を有する一または複数台の自動販売機と、
前記自動販売機からの前記課金情報および前記発信元識別情報に基づいて料金を回収する料金回収手段と、
から成ることを特徴とする自動販売機システム。
【請求項３】
発信元識別情報と一または複数台の自動販売機のいずれかを指定するための呼出情報とを無線で送信する移動電話機と、
前記移動電話機からの送信情報を受信する送受信手段、この受信信号に応じて指定商品を外部に排出可能とする商品排出手段、および、このときの排出商品の対価に相当する課金情報および前記発信元識別情報を前記送受信手段を介して送信するように制御する制御手段、を有する一または複数台の自動販売機と、
前記移動電話機と前記一または複数台の自動販売機との間における情報の送受信を中継する一または複数の中継局と、
前記自動販売機からの前記課金情報および前記発信元識別情報に基づいて料金を回収する料金回収手段と、から成り、
前記移動電話機が前記一または複数台の自動販売機の近傍に存在する場合、前記移動電話機と前記一または複数台の自動販売機との間の交信は、前記一または複数の中継局を介さずに行われ、
前記移動電話機が前記一または複数台の自動販売機から離れて前記一または複数の中継局の近傍に存在する場合、前記移動電話機と前記一または複数台の自動販売機との間の交信は、前記一または複数の中継局を介して行われる、ことを特徴とする自動販売機システム。
【請求項４】
前記移動電話機は、前記発信元識別情報、前記一または複数台の自動販売機の何れかを指定するための呼出情報、および、商品選択情報を送信可能とし、
前記一または複数台の自動販売機は、前記移動電話機から更に前記商品選択情報を受信したとき、前記商品排出手段からこの商品選択情報に応じた指定商品を排出することを特徴とする請求項１乃至３の何れかに記載の自動販売機システム。
【請求項５】
移動電話機からの発信元識別情報および一または複数台の自動販売機の何れかを指定するための呼出情報を受信する送受信手段と、
この受信信号に応じて、指定商品を外部に排出可能とする商品排出手段と、
このときの排出商品の対価に相当する課金情報および前記発信元識別情報を前記送受信手段を介して料金回収先に送信するように制御する制御手段と、
を備えたことを特徴とする自動販売機。
【請求項６】
移動電話機からの発信元識別情報および一または複数台の自動販売機の何れかを指定するための呼出情報を受信する送受信手段と、
この受信信号に応じて、指定商品を外部に排出可能とする商品排出手段と、
このときの排出商品の対価に相当する課金情報および前記発信元識別情報を記憶する情報記憶手段と、
前記情報記憶手段から前記課金情報および前記発信元識別情報を読み出して前記送受信手段を介して料金回収先に送信するように制御する制御手段と、
を備えたことを特徴とする自動販売機。
【請求項７】
前記移動電話機から更に商品選択情報を受信したとき、前記商品排出手段からこの商品選択情報に応じた指定商品を排出することを特徴とする請求項６または７記載の自動販売機。
【発明の詳細な説明】
【０００１】
【発明の属する技術分野】
本発明は、携帯電話、自動車電話、簡易型携帯電話（ＰＨＳ：Ｐｅｒｓｏｎａｌ  Ｈａｎｄｙｐｈｏｎｅ  Ｓｙｓｔｅｍ）等の移動電話機を利用して商品を購入するのに好適な、自動販売機および自動販売機システムに関する。
【０００２】
【従来の技術】
図５は、従来の自動販売機システムを説明するための図である。
【０００３】
この自動販売機システム２００は、ホストコンピュータ７と、通信回線８（電話回線等）と、通信回線８を介してホストコンピュータ７と接続される自動販売機Ｖ１〜Ｖｎとから成るものである。特に、自動販売機Ｖ１〜Ｖｎは、カード読取部６１と、コントローラ６２と、商品選択部６３と、商品排出部６４とを有する。
【０００４】
この自動販売機システム２００において、例えば、クレジットカード等の個人識別情報（ＩＤ番号、または銀行口座番号等のデータ）が記憶されたカードＣを所有している購買者は、このカードＣを自動販売機Ｖ１のカード読取部６１に挿入する。カード読取部６１は、カードＣに記憶されている情報を読み取るとともにコントローラ６２に送信する。コントローラ６２は、カードＣからの読取情報をホストコンピュータ７に転送する。ホストコンピュータ７は、カードＣの読取情報内における個人識別情報が自動販売機システム２００で使用可能であるかどうか、あるいは、カードＣが偽造カードではないかどうかを判別する。その結果、ホストコンピュータ７は、この個人識別情報が自動販売機システム２００で使用可能であるものと判別したとき、自動販売機Ｖ１のコントローラ６２に「カード使用可能」の情報を通信回線８を介して送信する。自動販売機Ｖ１のコントローラ６２は、「カード使用可能」の情報を受信すると、商品選択部６３を入力可能な状態とする。この状態で、購買者が、商品選択部６３の商品選択ボタン（図示せず）等を操作して特定の商品を選択すると、商品選択部６３は、このときの商品選択信号をコントローラ６２に送信する。コントローラ６２は、商品選択信号を受信すると、選択された商品の対価を購買者に請求するための課金情報をホストコンピュータ７に送信する。同時に、コントローラ６２は、選択された商品を外部に排出させるための商品排出信号を商品排出部６４に送信する。商品排出部６４は、商品排出信号を受信すると、選択された商品Ｇを外部に排出する。これより、購買者は、商品Ｇを購入することができる。
【０００５】
その後、ホストコンピュータ７は、上記の課金情報を記憶装置（図示せず）に記憶させるとともに所定期間（例えば１ケ月）ごとに集計し、上記購買者のカードＣを管理しているカード会社等へ相当金額を請求して支払を受ける。カード会社は、この購買者のカード口座から相当金額を引き落とす。
【０００６】
尚、購買者は、上記のカードＣの他に、プリペイドカード等の金額情報が記憶されたカードＣ′を利用することもできる。詳述すると、購買者が、カードＣ′を自動販売機Ｖ１のカード読取部６１に挿入すると、コントローラ６２は、カード読取部６１からの残高金額情報を表示器（図示せず）に表示させる。そして、購買者が、商品選択部６３の商品選択ボタンの操作に伴って商品Ｇを購入すると、コントローラ６２は、カードＣ′の残高金額情報を、商品Ｇの対価を減額した情報に更新する。
【０００７】
【発明が解決しようとする課題】
しかし、上記の従来の技術では、購買者は、商品を購入するために特定のカードＣ（クレジットカード）、特定のカードＣ′（プリペイドカード）を携帯しなければならず、これらのカードＣ、Ｃ′の携帯を忘れてしまうと商品を購入できなくて不便であった。また、今日では、商品を購入するためのカードＣ、Ｃ′以外にも各種のカードが存在しており、カードの管理も煩雑になってきている。
【０００８】
一方、最近では、移動体通信の発達に伴って、移動電話機による公衆電話回線の利用が可能となってきている。移動電話機としては、広いエリアで通信可能な自動車電話の他に、狭いエリアながら安価で個人的な使用を目的としたいわゆるＰＨＳも普及しつつある。また、公衆電話回線を利用するサービスとしては、単に通話やデータ送信のみならず、付加価値のある情報を伝達して電話料金に情報利用料金を加算して支払うシステムも現われてきている。このような状況下で、公衆電話回線を利用して商品を販売できる、新しい自動販売機および自動販売機システムの構築が可能である。
【０００９】
本発明は、移動体通信を利用した自動販売機および自動販売機システムを提供することを目的とする。
【００１０】
【課題を解決するための手段】
本発明は、上記の課題を解決するために創作されたものである。
【００１１】
請求項１の自動販売機システムは、発信元識別情報と一または複数台の自動販売機のいずれかを指定するための呼出情報とを無線で送信する移動電話機と、前記移動電話機からの送信情報を受信する送受信手段、この受信情報に応じて指定商品を外部に排出可能とする商品排出手段、および、このときの排出商品の対価に相当する課金情報および前記発信元識別情報を前記送受信手段を介して送信するように制御する制御手段、を有する一または複数台の自動販売機と、前記自動販売機からの前記課金情報および前記発信元識別情報に基づいて料金を回収する料金回収手段と、から成るものである。
【００１２】
請求項２の自動販売機システムは、発信元識別情報と一または複数台の自動販売機のいずれかを指定するための呼出情報とを無線で送信する移動電話機と、前記移動電話機からの送信情報を受信する送受信手段、この受信情報に応じて指定商品を外部に排出可能とする商品排出手段、このときの排出商品の対価に相当する課金情報および前記発信元識別情報を記憶する情報記憶手段、および、前記情報記憶手段から前記課金情報および前記発信元識別情報を読み出して前記送受信手段を介して送信するように制御する制御手段、を有する一または複数台の自動販売機と、前記自動販売機からの前記課金情報および前記発信元識別情報に基づいて料金を回収する料金回収手段と、
から成るものである。
【００１３】
請求項３の自動販売機システムは、発信元識別情報と一または複数台の自動販売機のいずれかを指定するための呼出情報とを無線で送信する移動電話機と、前記移動電話機からの送信情報を受信する送受信手段、この受信信号に応じて指定商品を外部に排出可能とする商品排出手段、および、このときの排出商品の対価に相当する課金情報および前記発信元識別情報を前記送受信手段を介して送信するように制御する制御手段、を有する一または複数台の自動販売機と、前記移動電話機と前記一または複数台の自動販売機との間における情報の送受信を中継する一または複数の中継局と、前記自動販売機からの前記課金情報および前記発信元識別情報に基づいて料金を回収する料金回収手段と、から成り、前記移動電話機が前記一または複数台の自動販売機の近傍に存在する場合、前記移動電話機と前記一または複数台の自動販売機との間の交信は、前記一または複数の中継局を介さずに行われ、前記移動電話機が前記一または複数台の自動販売機から離れて前記一または複数の中継局の近傍に存在する場合、前記移動電話機と前記一または複数台の自動販売機との間の交信は、前記一または複数の中継局を介して行われる、ものである。
【００１４】
請求項４の自動販売機システムは、請求項１乃至３の何れかに関し、前記移動電話機は、前記発信元識別情報、前記一または複数台の自動販売機の何れかを指定するための呼出情報、および、商品選択情報を送信可能とし、前記一または複数台の自動販売機は、前記移動電話機から更に前記商品選択情報を受信したとき、前記商品排出手段からこの商品選択情報に応じた指定商品を排出するものである。
【００１５】
請求項５の自動販売機は、移動電話機からの発信元識別情報および一または複数台の自動販売機の何れかを指定するための呼出情報を受信する送受信手段と、この受信信号に応じて、指定商品を外部に排出可能とする商品排出手段と、このときの排出商品の対価に相当する課金情報および前記発信元識別情報を前記送受信手段を介して料金回収先に送信するように制御する制御手段と、を備えたものである。
【００１６】
請求項６の自動販売機は、移動電話機からの発信元識別情報および一または複数台の自動販売機の何れかを指定するための呼出情報を受信する送受信手段と、この受信信号に応じて、指定商品を外部に排出可能とする商品排出手段と、このときの排出商品の対価に相当する課金情報および前記発信元識別情報を記憶する情報記憶手段と、前記情報記憶手段から前記課金情報および前記発信元識別情報を読み出して前記送受信手段を介して料金回収先に送信するように制御する制御手段と、を備えたものである。
【００１７】
請求項７の自動販売機は、請求項５または６に関し、前記移動電話機から更に商品選択情報を受信したとき、前記商品排出手段からこの商品選択情報に応じた指定商品を排出するものである。
【００１８】
以上より、（１）購買者は、移動電話機を利用して自動販売機の商品を購入するので、貨幣およびカードを持ち歩くという面倒な事態から開放され、購買者の口座等から商品の代金を回収する後払い方式を採用するので、気軽に商品を購入することができる。（２）自動販売機は、情報記憶手段の記憶内容に基づいて、発信元識別情報毎に課金情報を集計できるので、予め定められたタイミング（例えば１ヶ月単位）または必要に応じたタイミングで、支払請求内容を料金回収手段に送信することができる。（３）購買者は、中継局が移動電話機および自動販売機の間の通信を中継するので、自動販売機の設置場所に向かいながら移動電話機を操作することで、自動販売機との対面時間を短縮することができる。（４）購買者は、商品選択情報を送信することで、予約購入することができる。
【００１９】
【発明の実施の形態】
本発明の詳細を図面に従って具体的に説明する。
【００２０】
図１は、本発明の自動販売機システムを説明するための第１の実施の形態を示す。
【００２１】
図１に示すように、ある程度大規模な組織の建築物（例えば、工場、病院、ビル等）の構内１には、構内電話交換機２が設置される。構内電話交換機２は、一方で公衆回線Ｌを介して電話会社１３に接続され、他方で一または複数（図１では２台）の中継局（トランスポンダ）３、８…に接続される。電話会社１３は、販売料金の集計システム、料金回収システム、請求書発行システムを有している。
【００２２】
中継局３、８…は、所定の電波到達距離範囲（あるいは所定面積）に１台の単位で設置され、中継局３、８…の設置位置に対応して中継エリアＡ１、Ａ２…が設定される。各中継エリアＡ１、Ａ２…には、一または複数（図１では４台）の自動販売機４、５、９、１０が設置され、中継局３、８…は、自動販売機４、５、９、１０および移動電話機６、７、１１、１２の送受信情報を構内電話交換機２に中継するものである。尚、通信回線の信号方式はディジタル方式、アナログ方式の何れであっても本発明の適用は可能である。
【００２３】
図２に示すように、自動販売機４（５、９、１０も同一の構成）は、コントローラ１８（制御手段）と、コントローラ１８に接続され無線通信を行う送受信部１７及びアンテナ１６と、コントローラ１８に接続され商品選択ボタン２１により購入したい商品を選択する商品選択部１９と、コントローラ１８に接続され商品Ｍ１を自動販売機４の外部へ排出する商品排出部２０と、各種情報を記憶する記憶部２２と、を有するものである。
【００２４】
図３に示すように、移動電話機６（７、１１、１２も同一の構成）は、キーボード等の入力部６ａと、移動電話機６の全体を制御する制御部６ｂと、入力された送信情報を記憶するメモリ部６ｃと、情報を送受信する送受信部６ｄ及びアンテナ６ｅと、情報を表示する表示部６ｆと、を有するものである。尚、移動電話機６、７、１１、１２として、ＰＨＳ等の簡易型携帯電話を用いることができる。
【００２５】
次に、一連の動作を説明する。
【００２６】
購買者が商品を購入するときの通信経路は、購買者が携帯する移動電話機６、７、１１、１２と自動販売機４、５、９、１０あるいは中継局３、８との間の距離によって異なるものであり、移動電話機６、７、１１、１２からの情報は、以下の２つの通信モードで送受信される。詳述すると、第１通信モードは、移動電話機６、７、１１、１２が自動販売機４、５、９、１０の近傍に存在する（中継局３、８から離れている）場合の通信形態であり、第２通信モードは、移動電話機６、７、１１、１２が自動販売機４、５、９、１０から離れて存在する（中継局３、８の近傍に存在する）場合の通信形態である。尚、移動電話機６、７、１１、１２が自動販売機４、５、９、１０および中継局３、８の双方の近傍に存在する場合は、何れかのモード（例えば、第１通信モード）を優先させる。
【００２７】
第１通信モードの場合、購買者は、まず、商品の購入を希望する自動販売機４の近傍において移動電話機６の入力部６ａを操作し、利用する自動販売機４の電話番号を呼び出す。即ち、購買者が移動電話機６の入力部６ａを操作したときの入力情報は、入力指令信号として制御部６ｂに送信され、その後、送信情報信号として送受信部６ｄに送信され、その後、アンテナ６ｅから電波で発信される。この送信情報信号は、利用者（購入する個人又は企業）を識別可能な発信元識別情報あるいは個人識別情報を含んでいる。この個人識別情報としては、本発明の実施の形態では、移動電話機６に割り当てられた電話番号が利用されるが、その他の態様として、個人を識別可能な番号や符号、銀行口座番号などが利用可能である。
【００２８】
移動電話機６から発信された送信情報信号は、自動販売機４のアンテナ１６を介して送受信部１７で復調され、コントローラ１８に送信される。コントローラ１８は、受信した情報信号から発信元の移動電話機６の電話番号を読み取り、この電話番号が登録済みの正当な電話番号であって自動販売機４から商品を販売できるものであるかどうかを判定する。その結果、コントローラ１８が、この電話番号を登録済みの正当な電話番号であると判定した場合、移動電話機６と自動販売機４との間の通信回線が接続され、移動電話機６を子機とし、自動販売機４を親機として双方の交信が可能となる。
【００２９】
自動販売機４において、コントローラ１８は、商品選択可能信号を商品選択部１９に送信する。商品選択部１９は、商品選択可能信号を受信すると、表示器（図示せず）に「商品をお選びください」等の表示を行ったり、商品選択ボタン２１を点灯するなどして、外部からの商品選択操作入力を受け付ける商品選択モードに設定する。この商品選択モードにおいて、購買者が、商品選択部１９の商品選択ボタン２１を直接操作して特定の商品を選択すると、このときの商品選択信号はコントローラ１８に送信される。コントローラ１８は、商品選択信号を受信すると、選択された商品の対価を購買者に請求するための課金情報を移動電話機６の電話番号とともに記憶部２２に一旦格納し、所定期間（例えば１日、１週間単位等）毎にアンテナ１６、中継局３、構内電話交換機２、公衆回線Ｌという経路で電話会社１３に出力する。
【００３０】
また、コントローラ１８は、選択された商品を外部に排出させる商品排出信号を商品排出部２０に送信する。商品排出部２０は、商品排出信号を受信すると、選択された商品Ｍ１を外部に排出する。これより、購買者は、硬貨、紙幣、カードを携帯せずに、移動電話で商品Ｍ１を購入することができる。
【００３１】
電話会社１３は、コンピュータシステムによる料金回収手段を有し、移動電話機の電話番号と課金情報とを対応付けて記憶装置（図示せず）に記憶させておき、逐次又は所定期間（例えば１ケ月）ごとに集計することによって、上記の購買者の給与から天引きしたり、個人的に請求書を発行して支払を受けたり、あるいは、銀行口座等から相当金額を引き落としたりして料金の回収を行う。
【００３２】
第２通信モードは、購買者が、自動販売機の設置場所から遠い場所にいても、商品を購入しようとする対象の自動販売機を呼び出すことができ、加熱または調理など購入するまでに所定の時間を要する商品を予約購入するような場合に好適である。
【００３３】
購買者は、商品を購入しようとする自動販売機５の遠方から移動電話機７の入力部７ａを操作し、自動販売機５の電話番号を呼び出す。即ち、購買者が移動電話機７の入力部６ａを操作したときの入力情報は、入力指令信号として制御部６ｂに送信され、その後、送信情報信号として送受信部６ｄに送信され、その後、アンテナ６ｅから電波で発信される。
【００３４】
移動電話機７から発信された送信情報信号は、中継局３を介して自動販売機５に送信される。自動販売機５は、上記の第１通信モードと同様に、発信元の移動電話機７の電話番号を読み取り、この電話番号が登録済みの正当な電話番号であって自動販売機５から商品を販売できるものと判定した場合、移動電話機７と自動販売機５との間の通信回線が接続され、移動電話機７を子機とし、自動販売機５を親機とし、中継局３を介して双方の交信が可能となる。
【００３５】
自動販売機５において、商品選択部１９は、表示器（図示せず）に「商品をお選びください」等の表示を行ったり、商品選択ボタン２１を点灯するなどして、外部からの商品選択操作入力を受け付ける商品選択モードに設定する。この商品選択モードにおいて、購買者が、移動電話機７の入力部６ａを操作して特定の商品を選択したり、加熱、調理の有無等を指定したりすると、このときの商品選択信号、加熱、調理の指定信号は、中継器３を介して自動販売機５に送信される。自動販売機５のコントローラ１８は、商品選択信号を受信すると、選択された商品の対価を購買者に請求するための課金情報を移動電話機７の電話番号とともに記憶部２２に一旦格納し、所定期間（例えば１日、１週間単位等）毎にアンテナ１６、中継局３、構内電話交換機２、公衆回線Ｌという経路で電話会社１３に出力する。
【００３６】
また、コントローラ１８は、選択された商品を外部に排出させる商品排出信号を商品排出部２０に送信する。商品排出部２０は商品排出信号を受信すると、選択された商品Ｍ１を外部に排出する。これより、購買者は、商品Ｍ１を購入することができる。詳しくは後述するが、商品Ｍ１を外部に排出するのを一時的に保留することにより予約販売を行うこともできる。
【００３７】
電話会社１３は、コンピュータシステムによる料金回収手段を有し、移動電話機の電話番号と課金情報とを対応付けて記憶装置（図示せず）に記憶させておき、逐次又は所定期間（例えば１ケ月）ごとに集計することによって、上記の購買者の給与から天引きしたり、個人的に請求書を発行して支払を受けたり、あるいは、銀行口座等から相当金額を引き落としたりして料金の回収を行う。
【００３８】
図４は、本発明の自動販売機システムを説明するための第２の実施の形態を示す。
【００３９】
第２の実施の形態は、第１の実施の形態とは異なり、広域型の携帯電話や自動車電話等の移動電話システムに本発明を適用したものである。従って、第２の実施の形態は、中継エリアＡ１、Ａ２という狭いエリアを単位として情報を取り扱うものではなく、電話会社が設置する広域の中継システムを利用して情報を交信するものである。
【００４０】
図４に示すように、この自動販売機システムは、所要位置に配置された自動販売機４、５、９、１０…と、移動体通信システムとから成る。移動体通信システムは、携帯電話あるいは自動車電話等の移動電話機２５と、無線電話回線、衛星通信回線等を含む通信回線と、電話会社の電話交換機とから成る。移動電話機２５は、第１の実施の形態における移動電話機６と同様の構成を有し、キーボード操作により発信元識別情報（自己の電話番号、銀行口座番号等）、指定自動販売機の呼出情報（電話番号）、および商品選択情報を無線で送信可能とするものである。各自動販売機４、５、９、１０…の構成は、第１の実施の形態と同様であり、同一要素には同一の符号を用いて詳細な説明は省略する。
【００４１】
次に、一連の動作を説明する。
【００４２】
商品（例えば、加熱調理した後に提供される食品など）の予約購入を行う場合、購買者は、まず、商品の予約購入を希望する自動販売機（例えば４）から離れた位置において、移動電話機２５を操作し、自動販売機４の電話番号を入力すると、送信情報信号電波２３が送信される。この送信情報信号は、利用者を識別可能な電話番号等の個人識別情報を含んでいる。移動電話機２５からの送信情報信号の電波２３は、電話会社１３で受信され、電話交換機を介して電波２４により自動販売機４に送信される。自動販売機４は、受信した移動電話機２５の情報信号から電話番号を読み取り、この電話番号が登録済みの正当な電話番号であるものと判定すると、商品選択可能信号（又は商品選択部１９を動作させるための信号）を電話会社１３に返信するとともに移動電話機２５に送信する。そして、購買者が、移動電話機２５のテンキー等を操作して、「予約購入」である旨、および、予め既知の特定の商品コード等を入力すると、それらの内容を表す商品予約信号は、通信回線を通じて再び自動販売機４に送信される。
【００４３】
自動販売機４において、商品予約信号は、自動販売機４内のコントローラ１８（図２参照）に送信される。コントローラ１８は、予約された商品の対価を購買者に請求するための課金情報を移動電話機２５の電話番号とともに自動販売機４の記憶部２２に一旦格納し、所定期間（例えば１日、又は１週間）ごとに電話会社１３に出力する。同時に、コントローラ１８は、商品予約信号を商品処理排出部２０に送信する。
【００４４】
商品処理排出部２０は、商品予約信号を受信すると、予約された未処理の商品を商品処理排出部２０内の商品収納部（図示せず）から選択して取り出し、商品処理排出部２０内の商品処理部（図示せず）に送る。商品処理部は、未処理の商品に加熱、調理等の処理を施す。加熱、調理等の処理を完了した商品は、搬送手段（図示せず）により商品処理排出部２０内の複数の処理商品保留部（図示せず）の一つに保留される。この処理商品保留部は、商品取出扉（図示せず）を有し、所定の商品排出可能信号が出力されない限り施錠されたままとなる。
【００４５】
商品処理完了表示を受けた購買者は、指定の自動販売機４に出向き、商品選択部１９の入力キーを用いて、予約者本人であることを認識させるための設定入力を行う。これより、処理商品保留部の商品取出扉が、商品排出可能信号によって開放され、購買者は、加熱、調理等の処理を完了した予約商品を購入することができる。尚、料金の回収等は、上記の第１の実施の形態と同様であるので、説明を省略する。
【００４６】
【発明の効果】
本発明によれば、以下の利点を得ることができる。
【００４７】
（１）購買者は、移動電話機を利用して自動販売機の商品を購入するので、貨幣、カード等を準備および管理するという煩雑さから開放され、購買者の口座等から商品の代金を回収する後払い方式を採用するので、気軽に商品を購入することができる。
【００４８】
（２）自動販売機は、情報記憶手段の記憶内容に基づいて、発信元識別情報毎に課金情報を集計できるので、予め定められたタイミング（例えば１ヶ月単位）または必要に応じたタイミングで、支払請求内容を料金回収手段に送信することができる。
【００４９】
（３）購買者は、中継局が移動電話機および自動販売機の間の通信を中継するので、自動販売機の設置場所に向かいながら移動電話機を操作することで、自動販売機との対面時間を短縮することができる。
【００５０】
（４）購買者は、商品選択情報を送信することで、予約購入することができる。
【００５１】
（５）移動電話機を有する公衆電話システムをそのまま利用できるので、各自動販売機に特別の通信回線を敷設配線しなくて済み、システムを容易に変更、新規構築することができる。
【００５２】
（６）大規模な建築物（工場、病院、ビル等）の構内電話交換機を利用して、個人毎の自動販売機利用度数の計算機能を活用することにより、自動販売機の利用者からの給与天引き処理等の後払い方式の支払いを容易とできる。
【図面の簡単な説明】
【図１】本発明の自動販売機システムにおける第１の実施の形態を説明するための図である。
【図２】本発明の自動販売機を説明するための図である。
【図３】本発明に用いる移動電話機を説明するための図である。
【図４】本発明の自動販売機システムにおける第２の実施の形態を説明するための図である。
【図５】従来の自動販売機システムを説明するための図である。
【符号の説明】
１  構内
２  構内電話交換機
３、８中継局
４、５、９、１０  自動販売機
６、７、１１、１２、２５  移動電話機
１３  電話会社
１６  アンテナ
１７  送受信部
１８  コントローラ
１９  商品選択部
２０  商品処理排出部
２１  商品選択ボタン
２２  記憶部
Ｍ１  商品
【図１】
0003632616.tif 000002
【図２】
0003632616.tif 000003
【図３】
0003632616.tif 000004
【図４】
0003632616.tif 000005
【図５】
0003632616.tif 000006